(57)【要約】 【課題】  反射板と光源もしくは２個の光源を含むバックライトモジュールを提供する。【解決手段】  バックライトモジュールは、複数の反射領域を含む反射板と、反射板の側面部に設置される光源とを含み、光源から離れた反射領域の拡散率は、光源に近い反射領域の拡散率と相違する。また、光源から離れた反射領域の拡散率は、光源に近い反射領域の拡散率よりも大きく、反射領域の表面は異なる材料を含む。更に、反射領域の表面は異なる材料を含み、光源から離れた反射領域の表面は拡散面であり、光源に近い反射領域の表面は反射面である。【選択図】      図５
2006253139.tif 000002
【特許請求の範囲】
【請求項１】
複数の反射領域を含む反射板と、
前記反射板の側面部に設置される光源を含み、
前記光源から離れた前記反射領域の拡散率は、前記光源に近い前記反射領域の拡散率と相違することを特徴とするバックライトモジュール。
【請求項２】
前記光源から離れた前記反射領域の拡散率は、前記光源に近い前記反射領域の拡散率よりも大きい請求項１に記載のバックライトモジュール。
【請求項３】
前記反射領域の表面は異なる材料を含む請求項１または請求項２に記載のバックライトモジュール。
【請求項４】
前記光源から離れた前記反射領域の表面は拡散面であり、
前記光源に近い前記反射領域の表面は反射面である請求項１ないし請求項３のいずれか一項に記載のバックライトモジュール。
【請求項５】
前記反射領域はその表面に拡散粒子を含み、
前記拡散粒子の表面密度が異なる表面を有する請求項１ないし請求項４のいずれか一項に記載のバックライトモジュール。
【請求項６】
前記光源から離れた前記反射領域における前記拡散粒子の前記表面密度は、前記光源に近い前記反射領域における前記拡散粒子の前記表面密度よりも大きい請求項１ないし請求項５のいずれか一項に記載のバックライトモジュール。
【請求項７】
前記反射板は、前記光源に隣接した第１拡散率を有する第１反射領域と、
前記光源から離れた第２拡散率を有する第２反射領域と、
前記第１反射領域と前記第２反射領域との間にあり、第３拡散率を有する第３反射領域を含み、
前記第２拡散率は前記第３拡散率よりも大きく、かつ、前記第３拡散率は前記第１拡散率よりも大きい請求項１ないし請求項７のいずれか一項に記載のバックライトモジュール。
【請求項８】
反射板は、両側面部の第１反射領域と中央部の第２反射領域を含み、
前記第２反射領域の拡散率は前記第１反射領域の拡散率と相違し、
２個の光源が前記反射板の両側面部にそれぞれ設置され、かつ前記第１反射領域に隣接して設置されることを特徴とするバックライトモジュール。
【請求項９】
前記第２反射領域の前記第２拡散率は、前記第１反射領域の前記第１拡散率よりも大きい請求項９に記載のバックライトモジュール。
【請求項１０】
前記第１反射領域と前記第２反射領域は、その表面に拡散粒子を含み、
前記第２反射領域の前記拡散粒子の表面密度は、前記第１反射領域の前記拡散粒子の表面密度と相違する請求項９に記載のバックライトモジュール。
【請求項１１】
前記第２反射領域の前記拡散粒子の前記表面密度は、前記第１反射領域の前記拡散粒子の前記表面密度よりも大きい請求項１１に記載のバックライトモジュール。
【請求項１２】
前記第１反射領域の表面と、前記第２反射領域の表面は、異なる材料で作製されている請求項９ないし請求項１２のいずれか一項に記載のバックライトモジュール。
【請求項１３】
前記第２反射領域の表面は拡散面であり、前記第１反射領域の表面は反射面である請求項９ないし請求項１３のいずれか一項に記載のバックライトモジュール。
【請求項１４】
前記反射板は、前記第１反射領域と前記第２反射領域との間に第３反射領域を含み、
前記第３反射領域の第３拡散率は前記第１反射領域の前記第１拡散率よりも大きく、かつ、前記第２反射領域の前記第２拡散率よりも小さい請求項９ないし請求項１５のいずれか一項に記載のバックライトモジュール。
【請求項１５】
周辺部に第１反射領域を、中央部に第２反射領域をそれぞれ含み、
前記第２反射領域の第２拡散率は前記第１反射領域の第１拡散率と異なる反射板と、
前記反射板の周辺部に設置され、かつ、
前記第１反射領域に隣接して設置される少なくとも１個の光源を含むことを特徴とするバックライトモジュール。
【請求項１６】
前記第２反射領域の前記第２拡散率は、前記第１反射領域の前記第１拡散率よりも大きい請求項１７に記載のバックライトモジュール。
【請求項１７】
前記反射板は、前記第１反射領域と前記第２反射領域との間に第３反射領域を含み、
前記第３反射領域の第３拡散率は前記第１反射領域の前記第１拡散率よりも大きく、前記第２反射領域の前記第２拡散率よりも小さい請求項１７または請求項１８に記載のバックライトモジュール。
【請求項１８】
前記第１反射領域の表面と前記第２反射領域の表面は、異なる材料でできている請求項１７ないし請求項１９のいずれか一項に記載のバックライトモジュール。
【請求項１９】
前記第２反射領域の表面は拡散面であり、
前記第１反射領域の表面は反射面である請求項１７ないし請求項２０のいずれか一項に記載のバックライトモジュール。
【請求項２０】
前記第１反射領域及び前記第２反射領域は、その表面に拡散粒子を含み、
前記第２反射領域の前記拡散粒子の表面密度は、前記第１反射領域の前記拡散粒子の表面密度と異なる請求項１７ないし請求項２１のいずれか一項に記載のバックライトモジュール。
【請求項２１】
前記第２反射領域の前記拡散粒子の前記表面密度は、前記第１反射領域の前記拡散粒子の前記表面密度よりも大きい請求項２２に記載のバックライトモジュール。
【請求項２２】
前記光源は、冷陰極蛍光ランプもしくは発光ダイオードを含む請求項１ないし請求項２１のいずれか一項に記載のバックライトモジュール。
【発明の詳細な説明】
【技術分野】
【０００１】
本発明は、バックライトモジュールに関し、特に、拡散率が相違する反射領域を備える反射板を有するバックライトモジュールに関するものである。
【背景技術】
【０００２】
通常、液晶ディスプレイ（ＬＣＤ）は、液晶パネルとバックライトモジュールを含んでいる。液晶パネルは自己発光しないことから、充分な輝度と一様な分布とを提供する光源には適切に画像表示することが要求されている。よって、バックライトモジュールはＬＣＤの光源として役立つものである。
【０００３】
バックライトモジュールは、直下型と端面型の構造に分類することができ、異なる光学膜と光学板とが用いられている。直下型バックライトモジュールでは、光源はバックライトモジュールの空洞に直接設置されるため、比較的大きな体積を占める。端面型バックライトモジュールでは、光源はバックライトモジュールの側面に設置され、体積は減少され、導光板が光を液晶パネルへ導いている。
【０００４】
図１は、従来の端面型バックライトモジュールによるＬＣＤ１００を示す断面図である。図１において、ＬＣＤ１００は、液晶パネル１８０、フレーム１９０を含み、従来の端面型バックライトモジュールは、フレーム１９０の中に設置される。従来の端面型バックライトモジュールは、光源１１０のランプ、反射板１２０と、導光板１３０を含んでいる。
【０００５】
複数の光学膜１４０、例えば、保護拡散板、プリズムフィルム、輝度上昇フィルム及び内部拡散板が、通常、バックライトモジュールに用いられる。更に、光源反射板１１５は、光源１１０の外側に設置することができ、光源をバックライトモジュールから外側に散乱するのを防止している。導光板１３０と光学膜１４０は、特定要求に応じて交互に設置もしくは取り除くことができる。
【０００６】
図１において、光源１１０は、導光板１３０の方へ光を放射する。導光板１３０は、バックライトモジュールの上側（即ち、液晶パネル１８０）へ光を導き、ＬＣＤ１００の輝度と、液晶パネル１８０上の輝度分布を高めている。反射板１２０は、光利用率を高めるために背面散乱光を導光板１３０へ反射している。また、導光板１３０のないバックライトモジュールでは、光源１１０は、光を反射板１２０へ向けて直接放射し、その光は反射板１２０により液晶パネル１８０の方へ反射している。
【０００７】
一般的には、端面型バックライトモジュールの輝度分布は、微細構造と導光板の寸法により決定される。しかしながら、従来の端面型バックライトモジュールでは、導光板は逆に光使用率を低減し、かつ、バックライトモジュールの寸法が大きい場合、バックライトモジュールはかなり重量が増加する。この場合、その構造及び寸法により単一材料から作製した反射板１２０を調整することは困難である。このようにして、輝度分布の低下が生じうる。
【０００８】
また、端面型バックライトモジュールの光源１１０の配置は輝度に影響する。例えば、図２に示すように、光源１１０は、反射板１２０の一側面部に設置することができる。
【０００９】
また、図３に示すように、２個の光源１１０は、反射板１２０の両側面部に設置することができる。また、図４に示すように、光源１１０は、反射板１２０の周辺部に設置することができる。この場合、光源１１０の配置に基づいて単一材料からできた反射板１２０を調整することは困難である。このようにして、輝度分布の低下が生じうる。
【発明の開示】
【発明が解決しようとする課題】
【００１０】
本発明の一つの目的は、反射板と光源を含むバックライトモジュールを提供することにあり、本発明の他の目的は、反射板と２個の光源を含むバックライトモジュールを提供することにある。そして、本発明の更に他の目的は、反射板と少なくとも１個の光源を含むバックライトモジュールを提供することにある。
【課題を解決するための手段】
【００１１】
本発明に係るバックライトモジュールは、複数の反射領域を含む反射板と、反射板の側面部に設置される光源とを含み、光源から離れた反射領域の拡散率が、光源に近い反射領域の拡散率と相違することが特徴である。
【００１２】
また、もう一つの本発明に係るバックライトモジュールは、反射板が両側面部の第１反射領域と中央部の第２反射領域を含み、第２反射領域の拡散率は第１反射領域の拡散率と相違し、２個の光源は反射板の両側面部に設置され、かつ第１反射領域に隣接して設置されることが特徴である。
【００１３】
そして、別の本発明に係るバックライトモジュールは、周辺部に第１反射領域を、中央部に第２反射領域をそれぞれ含み、第２反射領域の第２拡散率は第１反射領域の第１拡散率と異なる反射板と、反射板の周辺部に設置され、かつ、第１反射領域に隣接して設置される少なくとも１個の光源を含むことが特徴である。
【発明の効果】
【００１４】
本発明によれば、拡散率が相違する反射領域を備える反射板を有するバックライトモジュールを提供することができるので、バックライトモジュールの輝度分布を高めることができる。
【発明を実施するための最良の形態】
【００１５】
本発明についての目的、特徴、長所が一層明確に理解されるよう、以下に実施形態を例示し、図面を参照にしながら詳細に説明する。
【実施例】
【００１６】
実施例１：図５は、本発明によるバックライトモジュールの実施例の概略図である。図５に示すように、バックライトモジュールには、光源１０が反射板２０の両側面部に設置されている。バックライトモジュールは、光源１０、反射板２０、複数の光学膜４０及び光源反射板１５を含んでいる。導光板は提供されていない。光源１０は反射板２０の両側面部に設置されている。
【００１７】
反射板２０は、複数の反射領域２０ａ、２０ｂ、２０ｃ、２０ｄ、２０ｅ、２０ｆ及び２０ｇを含んでいる。光源１０からの放射光は、反射板２０により光学膜４０の方向へ反射される。反射領域２０ａ、２０ｂ、２０ｃ、２０ｄ、２０ｅ、２０ｆ及び２０ｇ間において、その中間の反射領域２０ｄは光源１０から離れており、反射領域２０ａ及び２０ｇは光源１０に近い。反射領域２０ａ、２０ｂ、２０ｃ、２０ｄ、２０ｅ、２０ｆ及び２０ｇの拡散率は、輝度分布を高めるために相違するように設定される。
【００１８】
光源１０から離れた反射領域２０ｄの拡散率は最大であることが好ましい。即ち、反射領域２０ｄの表面は拡散面とすることができる。これに対して、光源１０に近い反射領域２０ａ及び２０ｇの拡散率は最小であることが好ましい。即ち、反射領域２０ａ及び２０ｇの表面は反射面とすることができる。その間における反射領域の拡散率は位置に応じて調整することができ、光源１０から離れた反射領域の拡散率は、光源１０に近い反射領域の拡散率よりも大きいことが好ましい。
【００１９】
反射板２０の製造において、反射領域２０ａ、２０ｂ、２０ｃ、２０ｄ、２０ｅ、２０ｆ及び２０ｇの表面は、異なる材料により作製することができる。ここで、異なる材料とは、光の拡散率が異なる材料のことであり、例えば鏡面反射するようなミラー反射材、白色反射するような白色シート反射材、或いは特定の方向の明るさを増大するような拡散反射材などと呼ばれるものを挙げることができる。これらの拡散率の異なる材料は、各反射材表面に光を当てたときに、入射角度３０°の光の強度に対して、その反射する光の強度が半分になる所定の角度（ここでは拡散角度という）で表すと次のようになる。ミラー反射材の拡散角度は１０°未満であり、また、白色シート反射材の拡散角度は約４５°であり、そして、拡散反射材の拡散角度は１０°以上４５°未満である。また、拡散粒子の表面密度が異なるようにした表面を反射領域に設けて、その拡散率に違いをもたせることができる。例えば、光源から離れた反射領域における拡散粒子の表面密度は、光源に近い反射領域における拡散粒子の表面密度よりも大きいことが好ましい。
【００２０】
更に、反射板２０の反射領域は、光源１０の配置により決定することができる。反射板２０の幾つかの実施例を図６、図７及び図８を参照して説明する。
【００２１】
実施例２：図６において、光源１０は、反射板２０の一側面部に設置されている。この場合、反射板２０の反射領域は、光源１０に隣接する第１反射領域２０１と、光源１０から離れた第２反射領域２０２と、第１反射領域２０１と第２反射領域２０２との間に位置する第３反射領域２０３でありうる。
【００２２】
第１反射領域２０１は第１拡散率を有し、第２反射領域２０２は第２拡散率を有し、第３反射領域２０３は第３拡散率を、それぞれ有している。第２反射領域２０２は光源１０から離れていることから、第２拡散率は第３反射領域２０３における第３拡散率よりも大きく、第３拡散率は第１反射領域２０１における第１拡散率よりも大きいことが、それぞれ好ましい。このようにして、バックライトモジュールの輝度分布を高めることができる。
【００２３】
実施例３：図７において、光源１０は反射板２０の両側面部に設置されている。この場合、反射板２０の反射領域は、反射板２０の両側面部に位置する２個の第１反射領域２０１と、反射板２０の中央部に位置する第２反射領域２０２と、第１反射領域２０１と第２反射領域２０２との間に位置する複数の第３反射領域２０３でありうる。第１反射領域２０１は光源１０に隣接し、第２反射領域２０２は光源１０から離れて設置されている。
【００２４】
第１反射領域２０１は第１拡散率を有し、第２反射領域２０２は第２拡散率を有し、第３反射領域２０３は第３拡散率を有している。第２反射領域２０２は光源１０から離れているため、第２拡散率は第３反射領域２０３における第３拡散率よりも大きいことが好ましい。更に、第３拡散率は第１反射領域２０１における第１拡散率よりも大きいことが好ましい。このようにして、バックライトモジュールの輝度分布を高めることができる。
【００２５】
実施例４：図８において、光源１０は反射板２０の周辺位置（端部位置の全てを含む）に設置されている。この場合、反射板２０の反射領域は、反射板２０の周辺部の第１反射領域２０１と、反射板２０の中央部に位置する第２反射領域２０２と、第１反射領域２０１と第２反射領域２０２との間に位置する第３反射領域２０３でありうる。第１反射領域２０１は光源１０に隣接しており、第２反射領域２０２は光源１０から離れている。
【００２６】
第１反射領域２０１は第１拡散率を有し、第２反射領域２０２は第２拡散率を有し、第３反射領域２０３は第３拡散率を有している。第２反射領域２０２は光源１０から離れているため、第２拡散率は第３反射領域２０３における第３拡散率よりも大きいことが好ましい。また、第３拡散率は第１反射領域２０１における第１拡散率よりも大きいことが好ましい。このようにして、バックライトモジュールの輝度分布を高めることができる。
【００２７】
上述した図６ないし図８の各実施例において注目すべき点は、反射板２０の反射領域が３つの群（即ち、第１反射領域、第２反射領域及び第３反射領域）に区分されていることである。しかしながら、実用上、その反射領域はバックライトモジュールの構造と寸法とに基づいて、任意の反射領域群数に区分できることは勿論である。
【００２８】
更に、実施例１ないし実施例４における各光源１０としては、冷陰極蛍光ランプ、発光ダイオードもしくは他の任意の発光素子タイプでありうる。
【００２９】
以上、本発明の好適な実施例を示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３０】
【図１】従来の端面型バックライトモジュールの側面図である。
【図２】反射板の一側面部に設置された光源を備える従来の端面型バックライトモジュールの概略図である。
【図３】反射板の両側面部に設置された光源を備える従来の端面型バックライトモジュールの概略図である。
【図４】反射板の周辺部に設置された光源を備える従来の端面型バックライトモジュールの概略図である。
【図５】本発明に基づいたバックライトモジュールの第１実施例の概略図である。
【図６】本発明に基づいたバックライトモジュールの第２実施例の概略図である。
【図７】本発明に基づいたバックライトモジュールの第３実施例の概略図である。
【図８】本発明に基づいたバックライトモジュールの第４実施例の概略図である。
【符号の説明】
【００３１】
１０、１１０  光源
１５、１１５  光源反射板
２０、１２０  反射板
２０１  第１反射領域
２０２  第２反射領域
２０３  第３反射領域
２０ａ、２０ｂ、２０ｃ、２０ｄ、２０ｅ、２０ｆ、２０ｇ  反射領域
４０、１４０  光学膜
１００  液晶ディスプレイ
１３０  導光板
１８０  液晶パネル
１９０  フレーム
【図１】
2006253139.tif 000003
【図２】
2006253139.tif 000004
【図３】
2006253139.tif 000005
【図４】
2006253139.tif 000006
【図５】
2006253139.tif 000007
【図６】
2006253139.tif 000008
【図７】
2006253139.tif 000009
【図８】
2006253139.tif 000010